(57)【要約】【課題】既存揚水発電では水力発電機出入力は回転速度の３乗に比例するから入力は可変速モーターが実用化中のため出力も２倍以上無限増大する課題がある。【解決手段】既存揚水発電の水速度がマッハ１／７〜１／５等で隕石の落下速度が空気摩擦減速後マッハ５０や蒸気タービン発電蒸気速度が２８回等堰き止反転噴射後マッハ１〜２等のため、垂直揚水発電では真空製造容易や速度製造容易や質量増大容易等発電量無限増大となり、マッハ２０水速度発電の優位性比較倍率を計算すると、既存揚水発電のマッハ２０÷１／５＝１００倍水速度１００倍回転周速度となり、垂直揚水発電の水力発電機発電出力が既存揚水発電の１００万倍発電出力となり、実験が必要ですが燃料費０で発電量無限増大のため既存発電設備が不要となり、最も効率良く地球温暖化防止し、日本の財政赤字１千兆円超を急速０にする。【選択図】図２
2017078365.tif 000002
【特許請求の範囲】
【請求項１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項１０】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項１１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項１２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項１３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項１４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項１５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項１６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項１７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項１８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項１９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項２０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項２１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項２２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項２３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項２４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項２５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項２６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項２７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水としタービン外箱（７７ａ）や発電機外箱（７７ｃ）の段落毎３Ｄプリンター製造として横型蒸気水発電機（２２Ｘ）の横型垂直揚水発電（１Ｍ）とした各種エネルギ保存サイクル合体機関。
【請求項２８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項２９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項３０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項３１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項３２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項３３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水としタービン外箱（７７ａ）や発電機外箱（７７ｃ）の段落毎１鋳造部品として横型蒸気水発電機（２２Ｘ）の横型垂直揚水発電（１Ｍ）とした各種エネルギ保存サイクル合体機関。
【請求項３４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項３５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項３６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項３７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項３８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項３９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項４０】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項４１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項４２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項４３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項４４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項４５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項４６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項４７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項４８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項４９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項５０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項５１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項５２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項５３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項５４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項５５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項５６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項５７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項５８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項５９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項６０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項６１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項６２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項６３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項６４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項６５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項６６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項６７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項６８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項６９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項７０】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項７１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項７２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項７３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項７４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項７５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項７６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項７７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項７８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項７９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項８０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項８１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項８２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項８３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項８４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項８５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項８６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項８７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項８８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項８９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項９０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項９１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項９２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項９３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項９４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項９５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項９６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項９７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項９８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項９９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）具備して研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１００】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１０１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１０２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１０３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１０４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１０５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１０６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１０７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１０８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１０９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１１０】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１１１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１１２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１１３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１１４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１１５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１１６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１１７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１１８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１１９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１２０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１２１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１２２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１２３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１２４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１２５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１２６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１２７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１２８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１２９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１３０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１３１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１３２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気水発電機（２２Ｘ）の横型垂直揚水発電（１Ｍ）とした各種エネルギ保存サイクル合体機関。
【請求項１３３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１３４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１３５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１３６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１３７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１３８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１３９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１４０】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１４１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１４２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１４３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１４４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１４５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１４６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１４７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１４８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１４９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１５０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１５１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１５２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１５３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１５４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１５５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１５６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１５７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１５８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１５９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１６０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１６１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１６２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１６３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１６４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１６５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気水発電機（２２Ｘ）の横型垂直揚水発電（１Ｍ）とした各種エネルギ保存サイクル合体機関。
【請求項１６６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１６７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１６８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１６９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１７０】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１７１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１７２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１７３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１７４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１７５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１７６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１７７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１７８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１７９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１８０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１８１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１８２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１８３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１８４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１８５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１８６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１８７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１８８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１８９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１９０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１９１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１９２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１９３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１９４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１９５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１９６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１９７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１９８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項１９９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２００】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２０１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２０２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２０３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２０４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２０５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２０６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２０７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２０８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２０９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２１０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２１１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２１２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２１３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２１４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２１５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２１６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２１７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２１８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２１９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２２０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２２１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２２２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２２３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２２４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２２５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２２６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２２７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２２８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２２９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２３０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２３１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気水発電機（２２Ｘ）の横型垂直揚水発電（１Ｍ）とした各種エネルギ保存サイクル合体機関。
【請求項２３２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２３３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２３４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２３５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２３６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２３７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２３８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２３９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２４０】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２４１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２４２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２４３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２４４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２４５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２４６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２４７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２４８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２４９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２５０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２５１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２５２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２５３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２５４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２５５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２５６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２５７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２５８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水としタービン外箱（７７ａ）や発電機外箱（７７ｃ）の段落毎３Ｄプリンター製造として横型蒸気比重大物質発電機（２２Ｗ）の横型垂直揚水発電（１Ｎ）とした各種エネルギ保存サイクル合体機関。
【請求項２５９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２６０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２６１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２６２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２６３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２６４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水としタービン外箱（７７ａ）や発電機外箱（７７ｃ）の段落毎１鋳造部品として横型蒸気比重大物質発電機（２２Ｗ）の横型垂直揚水発電（１Ｎ）とした各種エネルギ保存サイクル合体機関。
【請求項２６５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２６６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２６７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２６８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２６９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２７０】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２７１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２７２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２７３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２７４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２７５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２７６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２７７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２７８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２７９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２８０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２８１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２８２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２８３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２８４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２８５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２８６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２８７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２８８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２８９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２９０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２９１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２９２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２９３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２９４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２９５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２９６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２９７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２９８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項２９９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３００】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３０１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３０２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３０３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３０４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３０５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３０６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３０７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３０８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３０９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３１０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３１１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３１２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３１３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３１４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３１５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３１６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３１７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３１８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３１９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３２０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３２１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３２２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３２３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３２４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３２５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３２６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３２７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３２８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３２９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３３０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）具備して研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３３１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３３２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３３３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３３４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３３５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３３６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３３７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３３８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３３９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３４０】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３４１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３４２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３４３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３４４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３４５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３４６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３４７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３４８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３４９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３５０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３５１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３５２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３５３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３５４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３５５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３５６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３５７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３５８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３５９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３６０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３６１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３６２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３６３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で研磨剤に近い物質の製造を阻止した柱管（１２Ｂ）で水を上昇保存使用する横型蒸気比重大物質発電機（２２Ｗ）の横型垂直揚水発電（１Ｎ）とした各種エネルギ保存サイクル合体機関。
【請求項３６４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３６５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３６６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３６７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３６８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３６９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３７０】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３７１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３７２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３７３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３７４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３７５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３７６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３７７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３７８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３７９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３８０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３８１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３８２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３８３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３８４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３８５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３８６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３８７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３８８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３８９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３９０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３９１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３９２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３９３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３９４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３９５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３９６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして横型蒸気比重大物質発電機（２２Ｗ）の横型垂直揚水発電（１Ｎ）とした各種エネルギ保存サイクル合体機関。
【請求項３９７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項３９８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項３９９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４００】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４０１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４０２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４０３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４０４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４０５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４０６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４０７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４０８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４０９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４１０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４１１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４１２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４１３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４１４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４１５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４１６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４１７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４１８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４１９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４２０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４２１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４２２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４２３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４２４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４２５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４２６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４２７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４２８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４２９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４３０】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４３１】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４３２】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４３３】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４３４】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４３５】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４３６】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４３７】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４３８】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４３９】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４４０】
重力発電建物（１２）柱管（１２Ｂ）４本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４４１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４４２】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４４３】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４４４】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４４５】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４４６】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４４７】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４４８】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４４９】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４５０】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４５１】
重力発電建物（１２）柱管（１２Ｂ）５本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４５２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４５３】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１４段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４５４】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１３段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４５５】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１２段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４５６】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１１段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４５７】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の１０段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４５８】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の９段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４５９】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の８段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４６０】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の７段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４６１】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の６段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４６２】
重力発電建物（１２）柱管（１２Ｂ）６本に水タンク（１２ｅ）天井面や底面を具備して夫々を可変速揚水ポンプ（１２ｆ）１以上で連結の揚水路（１２ａ）兼用の５段揚水とし初速度製造部（６ｂ）や比重大物質加速機（６Ｗ）より比重大物質や超臨界圧力水蒸気（５Ｈ）を噴射して真空や初速度製造し、マッハ３０等に近付け一体タービン翼群（８Ｇ）に噴射回転駆動する過程で上吸引下左右反発磁石（９ｅ）具備して軸受荷重０接近の軸受（１２Ｃ）にして水平軸（１６Ａ）を対向回転して発電機回転子（１３ａ）を直列連結駆動する横型蒸気比重大物質発電機（２２Ｗ）の横型垂直揚水発電（１Ｎ）とした各種エネルギ保存サイクル合体機関。
【請求項４６３】
太陽光加熱器（２１）で加熱した空気を圧縮比１１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４６４】
太陽光加熱器（２１）で加熱した空気を圧縮比１２以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４６５】
太陽光加熱器（２１）で加熱した空気を圧縮比１３以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４６６】
太陽光加熱器（２１）で加熱した空気を圧縮比１４以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４６７】
太陽光加熱器（２１）で加熱した空気を圧縮比１５以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４６８】
太陽光加熱器（２１）で加熱した空気を圧縮比１６以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４６９】
太陽光加熱器（２１）で加熱した空気を圧縮比１７以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４７０】
太陽光加熱器（２１）で加熱した空気を圧縮比１８以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４７１】
太陽光加熱器（２１）で加熱した空気を圧縮比１９以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４７２】
太陽光加熱器（２１）で加熱した空気を吸入圧縮比２０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４７３】
太陽光加熱器（２１）で加熱した空気を吸入圧縮２１比以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４７４】
太陽光加熱器（２１）で加熱した空気を吸入圧縮比２２以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４７５】
太陽光加熱器（２１）で加熱した空気を吸入圧縮比２３以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４７６】
太陽光加熱器（２１）で加熱した空気を吸入圧縮比２４以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４７７】
太陽光加熱器（２１）で加熱した空気を吸入圧縮比２５以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４７８】
太陽光加熱器（２１）で加熱した空気を吸入圧縮比２６以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４７９】
太陽光加熱器（２１）で加熱した空気を吸入圧縮比２７以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４８０】
太陽光加熱器（２１）で加熱した空気を吸入圧縮比２８以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４８１】
太陽光加熱器（２１）で加熱した空気を吸入圧縮比２９以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４８２】
太陽光加熱器（２１）で加熱した空気を吸入圧縮比３０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４８３】
太陽光加熱器（２１）で加熱した空気を吸入圧縮比３１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４８４】
太陽光加熱器（２１）で加熱した空気を吸入圧縮比３２以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４８５】
太陽光加熱器（２１）で加熱した空気を吸入圧縮比３３以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４８６】
太陽光加熱器（２１）で加熱した空気を吸入圧縮比３４以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４８７】
太陽光加熱器（２１）で加熱した空気を吸入圧縮比３５以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４８８】
太陽光加熱器（２１）で加熱した空気を吸入圧縮比３６以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４８９】
太陽光加熱器（２１）で加熱した空気を吸入圧縮比３７以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４９０】
太陽光加熱器（２１）で加熱した空気を吸入圧縮比３８以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４９１】
太陽光加熱器（２１）で加熱した空気を吸入圧縮比３９以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４９２】
太陽光加熱器（２１）で加熱した空気を吸入圧縮比４０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４９３】
太陽光加熱器（２１）で加熱した空気を吸入圧縮比４１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４９４】
太陽光加熱器（２１）で加熱した空気を吸入圧縮比４２以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４９５】
太陽光加熱器（２１）で加熱した空気を吸入圧縮比４３以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４９６】
太陽光加熱器（２１）で加熱した空気を吸入圧縮比４４以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４９７】
太陽光加熱器（２１）で加熱した空気を吸入圧縮比４５以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４９８】
太陽光加熱器（２１）で加熱した空気を吸入圧縮比４６以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項４９９】
太陽光加熱器（２１）で加熱した空気を吸入圧縮比４７以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５００】
太陽光加熱器（２１）で加熱した空気を吸入圧縮比４８以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５０１】
太陽光加熱器（２１）で加熱した空気を吸入圧縮比４９以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して二重反転圧縮機（３ｓ）圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５０２】
太陽光加熱器（２１）で加熱した空気を圧縮比３０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５０３】
太陽光加熱器（２１）で加熱した空気を圧縮比３１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５０４】
太陽光加熱器（２１）で加熱した空気を圧縮比３２以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５０５】
太陽光加熱器（２１）で加熱した空気を圧縮比３３以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５０６】
太陽光加熱器（２１）で加熱した空気を圧縮比３４以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５０７】
太陽光加熱器（２１）で加熱した空気を圧縮比３５以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５０８】
太陽光加熱器（２１）で加熱した空気を圧縮比３６以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５０９】
太陽光加熱器（２１）で加熱した空気を圧縮比３７以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５１０】
太陽光加熱器（２１）で加熱した空気を圧縮比３８以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５１１】
太陽光加熱器（２１）で加熱した空気を圧縮比３９以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５１２】
太陽光加熱器（２１）で加熱した空気を吸入圧縮比４０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５１３】
太陽光加熱器（２１）で加熱した空気を吸入圧縮比４１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５１４】
太陽光加熱器（２１）で加熱した空気を吸入圧縮比４２以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５１５】
太陽光加熱器（２１）で加熱した空気を吸入圧縮比４３以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５１６】
太陽光加熱器（２１）で加熱した空気を吸入圧縮比４４以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５１７】
太陽光加熱器（２１）で加熱した空気を吸入圧縮比４５以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５１８】
太陽光加熱器（２１）で加熱した空気を吸入圧縮比４６以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５１９】
太陽光加熱器（２１）で加熱した空気を吸入圧縮比４７以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５２０】
太陽光加熱器（２１）で加熱した空気を吸入圧縮比４８以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５２１】
太陽光加熱器（２１）で加熱した空気を吸入圧縮比４９以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５２２】
太陽光加熱器（２１）で加熱した空気を吸入圧縮比５０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５２３】
太陽光加熱器（２１）で加熱した空気を吸入圧縮比５１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５２４】
太陽光加熱器（２１）で加熱した空気を吸入圧縮比５２以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５２５】
太陽光加熱器（２１）で加熱した空気を吸入圧縮比５３以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５２６】
太陽光加熱器（２１）で加熱した空気を吸入圧縮比５４以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５２７】
太陽光加熱器（２１）で加熱した空気を吸入圧縮比５５以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５２８】
太陽光加熱器（２１）で加熱した空気を吸入圧縮比５６以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５２９】
太陽光加熱器（２１）で加熱した空気を吸入圧縮比５７以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５３０】
太陽光加熱器（２１）で加熱した空気を吸入圧縮比５８以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５３１】
太陽光加熱器（２１）で加熱した空気を吸入圧縮比５９以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５３２】
太陽光加熱器（２１）で加熱した空気を吸入圧縮比６０以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５３３】
太陽光加熱器（２１）で加熱した空気を吸入圧縮比６１以上に圧縮して熱交換し超臨界圧力水蒸気（５Ｈ）等製造噴射可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５３４】
太陽光加熱器（２１）で加熱した空気を吸入圧縮比６２以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５３５】
太陽光加熱器（２１）で加熱した空気を吸入圧縮比６３以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５３６】
太陽光加熱器（２１）で加熱した空気を吸入圧縮比６４以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５３７】
太陽光加熱器（２１）で加熱した空気を吸入圧縮比６５以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５３８】
太陽光加熱器（２１）で加熱した空気を吸入圧縮比６６以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５３９】
太陽光加熱器（２１）で加熱した空気を吸入圧縮比６７以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５４０】
太陽光加熱器（２１）で加熱した空気を吸入圧縮比６８以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【請求項５４１】
太陽光加熱器（２１）で加熱した空気を吸入圧縮比６９以上に圧縮して熱交換し超臨界圧力水蒸気（５Ｈ）等製造使用を可能にした圧縮空気熱交換器（２Ｙ）や発電外軸回転子（１３Ａ）発電内軸回転子（１３Ｂ）で発電して圧縮空気熱交換器（２Ｙ）具備電気駆動や横型垂直揚水発電（１Ｍ）（１Ｎ）等の電力で補助駆動可能な横型水蒸気製造機（１１ｔ）で製造する超臨界圧力水蒸気（５Ｈ）としタービン（３Ｕ）駆動発電し二重反転圧縮機（３ｓ）を電気駆動する各種エネルギ保存サイクル合体機関及び合体方法。
【発明の詳細な説明】
【技術分野】
【０００１】
専門家との合体発明が必要な域に到達しましたが、韓国や中国の反日を親日にする技術分野が人類史上最大の貢献をする技術分野で、反日の原因が財政赤字を無限増大する無能無策が原因で財政赤字急速０にする発明実施が重要で、２０１４年の自己資本利益率が日本７．８％米国１６．９％から米国の物真似改良政治に転換が必要で、国民収入倍増のエンジン発明に挑戦を始めて７２年の過程で日本政治家の協力が０に対して、米国のクリントン大統領は私が中国電力定年退職金で取得した米国特許に３年３回１００％協力し、ビッグスリー経由で製造不可発明や優位性比較説明の重要性を教える等でこの発明に到達さして、既存最先端エンジン発明を優位性比較説明倍率で比較すると最も重要な速度利用に挑戦皆無が判明し、水力発電機出入力は回転速度の３乗に比例するで既存揚水発電の水速度マッハ１／５で計算では、同一水質量既存揚水発電のマッハ２÷マッハ１／５＝１０倍速度１０００倍発電量の各種垂直揚水発電となり、垂直揚水発電では初速度製造真空製造して、真空中の重力加速度で発電するため落差５００ｍ製造では２００台等の直列駆動となり、優位性比較倍率が既存揚水発電の１０００倍発電量×２００台＝２０万倍発電量の垂直揚水発電となり、実験を必要として、同様に既存火力発電との優位性比較倍率計算では、発電量が質量に比例するため、既存火力発電最終タービン翼群と同速度同容積１万倍質量駆動の垂直揚水発電となり、同一速度同一流路面積既存火力発電最終タービン翼群の１万倍発電量×２００台＝２００万倍発電量の垂直揚水発電となり、実験が必要になり加えて垂直揚水発電では燃料費０発電が可能なため、利益率が１万倍等膨大な燃料費０発電のため、人類史上最大の貢献や地球温暖化防止や利益率抜群世界一や給料倍増等にして、一刻も早く安倍総理や政治家全部が利益僅少全部から資金０発明に全力協力する各種実験から出発し、先進国は利益率が最重要と自覚して特許権等の利益率の大きい仕事を無限増大して、給料倍増に日本政治家が大変心して極秘研究極秘製造極秘運用にし、国民収入倍増計画等の政治家戦略として、安売り競争貧困増大阻止の国民収入倍増にして財政赤字１０００兆円超を最短で０狙いとし、国家収入増大永遠狙いや国民収入増大永遠狙う専門家集団等により極秘製造極秘運用を中核として、先進国経済成長戦略や政治家戦略とし、世界で極秘発電して船舶や飛行機を極秘運用して、極秘発電極秘運用で改良発明を独占して夫々の利益率を抜群世界一永遠にする地球温暖化防止にし、国民収入倍増や雇用無限増大を世界一にする外交戦略や政治家戦略にして、高度経済成長をお願いします。
【背景技術】
【０００２】
優位性比較倍率設計図の無い言葉だけの成長戦略は沈没２０年継続のため、小学校理科洗脳僅少や我流全部や資金０の長所利用で、人類史上最大の貢献が可能なエンジン発明に挑戦し、今日まで略７２年で燃料費０電気駆動の発電量無限増大が可能な垂直揚水発電や、同一燃料量既存回転出力や噴射推進出力の１００倍前後のエンジン発明に到達実験を必須として、実験による利益率抜群世界一で日本の財政赤字１千兆円超の急速０や高度経済成長に急速転換とし、同時に小学校理科発明に政治家や企業家等の専門家発明を合体した国民利益増大発明に転換して、米国大統領は国民利益率増大のため私が定年退職金で取得した米国特許に３年３個に協力し、発明の最も重要な優位性説明をビッグスリーに命令して本発明に到達させる等国民利益に全力協力して、世界一の経済大国を維持しており日本の政治家も米国クリントン元大統領の物真似改良政治を必要とし、日本人の協力が昭和３８年特願２１３８０号岡山地方発明センターの請負製造が最初で最後のため、日本の政治家が米国大統領と同様に協力していた場合を予想では２０年以上早くこの発明に到達して、日本の財政赤字が０になっている背景技術予想等人類史上最大の貢献や利益率を人類史上最大とし、既存の発明品略全部が製造品販売で運用利益率が膨大な本発明では製造品全部極秘運用として、部品数１／１００等超大型部品や工作機械が皆無等のため極秘改良発明極秘製造極秘運用等とし、特に極秘運用については米国の退役軍人や自衛隊の退役軍人による運転操縦や運用点検等極秘として、接客部分等を民間企業に委託する国家経営利益率膨大として財政赤字１千兆円を急速０戦略に使用し、既存水蒸気利用が最悪近傍を利用し超臨界圧力水蒸気５Ｈ噴射で宇宙往還費用１／５０万狙いとして、米国では宇宙利用により地球上何処でも２時間前後で到着可能なため軍事基地等の０を可能にし、民間企業と合体して旅客事業の月旅行等で運用して利益率抜群世界一等先進国用の仕事を創造して、運動エネルギ利用で最も重要な速度利用に挑戦皆無の背景技術を全面的に改良する各種発明とし、水力発電機出入力は回転速度の３乗に比例するで計算実験にして、発電は超臨界圧力水蒸気５Ｈ噴射で逆浸透水５２Ｄの初速度製造し、真空中水等の重力加速度で直列多段２００台発電等にして、燃料駆動も超臨界圧力水蒸気５Ｈを製造して保存噴射や燃焼ガス吸引噴射全動翼二重反転ガスタービン駆動し、回転出力や噴射推進出力を既存の１００倍等にする全動翼の各種二重反転機関として、静翼を全廃した全動翼の圧縮機やタービンとして可能な最大速度電気駆動の人類貢献を最大とし、年金生活発明で権利化不可のため中国等が権利化しても人類貢献が可能なため特許権の取得を含めて、利益率を最大等国民利益率増大に協力する政治家全部や製造業全部や製造物全部の極秘運用にして、国家経営の運用利益率最大や最大多数に挑戦し、利益率最大の仕事を独占無限創造する政治家戦略や米国中核の世界一必勝戦略をお願いします。
【先行技術文献】
【特許文献】
【０００３】
【特許文献１】日本国特許１６０７１５１号、特許１６０９６１７号、特許１６４５３５０号、特許１９２４８８９号、特許１９１２５２２号、特許１９５９３０５号、特許１９８６１１９号、特許２６０４６３６号、１９９２年米国特許５１３３３０５号、１９９３年米国特許５２３０３０７号、１９９５年米国特許５４２９０７８号、１９９７年米国特許５７０１８６４号、ＰＣＴ国際出願番号ＰＣＴ／ＪＰ９７／０１８１４号・米国特許第６１１９６５０号、中国特許第８８１８号、ＥＵ英国特許９０２１７５号、ＰＣＴ国際出願番号ＰＣＴ／ＪＰ９７／０２２５０号・米国特許第６２６３６６４号がある。
【０００４】
【特許文献２】ＰＣＴ国際出願公開ＮＯ．ＷＯ  ２０１０／１０１０１７  ＰＣＴ／ＪＰ２０１０／０５２１７１の出願があり、特願２００７−１７９２０４提出日：平成１９年７月９日より特願２００７−２６５１１５提出日：平成１９年１０月１１日まで５個の出願があり、特願２００８−００６６１２提出日：平成２０年１月１６日より特願２００８−３２７０４５提出日：平成２０年１２月２４日まで４５個の出願があり、特願２００９−０１１６５６提出日：平成２１年１月２２日より特願２００９−２９８００４提出日：平成２１年１２月２８日まで３２２個の出願があり、特願２０１０−０００８４１提出日：平成２２年１月６日より特願２０１０−０３３２２４提出日：平成２２年２月１８日まで３２個の出願があり、特願２０１１−０５５０７８提出日：平成２３年３月１４日より特願２０１１−２６７５０８提出日平成２３年１２月７日まで２２個の出願があり、特願２０１２−０３２２４５提出日：平成２４年２月１７日より特願２０１２−２７１０３５提出日：平成２４年１２月１２日まで２９個の出願があり、特願２０１３−７９７５提出日：平成２５年１月２１日より特願２０１３−２５０６８３提出日：平成２５年１２月４日まで３０個の出願があり、特願２０１４−４６９０提出日：平成２６年１月１５日より特願２０１４−２５２８３４提出日：平成２６年１２月１５日まで７個の出願があり、特願２０１５−８７３４７提出日：平成２７年４月２２日まで１個の出願があります。
【発明の概要】
【発明が解決しようとする課題】
【０００５】
利益率抜群世界一の仕事を無限増大給料倍増する課題があり、同一労働同一賃金が基本で先進国維持には発明で独占以外は無く、騙し続けた失われた２０年継続からの脱出には実験結果算出の成長戦略政治以外は無く、地球温暖化により地震津波が限り無く巨大化して膨大な被害が限り無く増大し、台風や季節風も限り無く巨大化して膨大な被害が限り無く増大して、豪雨や旱魃も限り無く巨大化して膨大な被害が限り無く増大し、日本の政治家は自分の金儲けに専念して人類史上最大の貢献狙う本発明に協力皆無として、日本の財政赤字１千兆円超を製造のため米国クリントン元大統領の物真似改良を必要とし、既存最先端科学技術の最悪部分例えば既存揚水発電は位置エネルギ使用で損失発電として、揚水電力より僅少発電のため垂直揚水発電として落差製造＋初速度製造＋真空製造とし、発電すると落差５００ｍに２００台の直列同速度駆動２００倍発電量になる課題があり、マッハ３０初速度製造では既存揚水発電の３０×５倍＝１５０倍水速度になるため、発電量が１５０倍の２乗に比例しても３乗比例しても膨大な発電量になる課題が有り、火力発電や船舶駆動や飛行機駆動の既存最先端科学技術も速度エネルギ利用前夜のため、実験の最初から大革命は明白ですが部品数１／１００等超大型部品が大部分になるため、工作機械が皆無に近く超大型工作機械の設計製造からの出発となる課題があり、改良発明を無限増大してクリントン米国元大統領同様国民の為資金０発明に無限協力して、利益率抜群世界一の仕事を無限製造し、利益率抜群世界一企業を無限製造して、給料世界一や日本の財政赤字急速０狙いとし、最も効率良く地球温暖化防止して地震津波や台風季節風や旱魃豪雨の巨大化を阻止して、人類史上最大の貢献にする大きな課題があり、アベノミクス成長戦略の中身にする課題がある。
【課題を解決するための手段】
【０００６】
韓国や中国との関係改善にも失われた２０年から脱出知恵増大以外は無く、クリントン元大統領と同様に資金０発明に１００％協力政治が前提では、水力発電機出入力は回転速度に比例するで計算しても膨大な出力となり、大学等で既存最先端最悪科学技術も最良と表示等の洗脳で速度エネルギ利用最悪とし、垂直揚水発電の優位性比較説明倍率も膨大となって実験の最初から大革命を予想して、超大型工作機械の設計製造や超高速回転を可能にするバランス調整加工を可能にし、垂直揚水発電機の設計製造過程で部品数１／１００等超大型部品で超高速回転対応して、初速度製造に超臨界圧力水蒸気５Ｈ使用して垂直揚水発電駆動や製造単価を確認し、超臨界圧力水蒸気５Ｈ中核駆動宇宙往還費用１／５０万が可能か等宇宙利用最重要として、大型宇宙往還機になり地球上何処でも２時間程度で到着するため米国軍事基地不要にし、沖縄を宇宙基地として１０倍速度の船舶や飛行機を含めた月旅行等の運用として、運用利益率最大が垂直揚水発電になるか月旅行になるか等の実験にし、超臨界圧力水蒸気５Ｈ製造使用や二重反転を中核として速度エネルギの最良使用にして、最も効率良く地球温暖化防止や日本の財政赤字１千兆円超を急速０にする戦略とし、運用利益率世界一企業の大量創出や製造利益率世界一企業の大量創出にして、給料世界一や日本の財政赤字１千兆円超を急速０にする各種エネルギ保存サイクル合体機関にし、最も効率良く地球温暖化防止して地震津波や台風季節風や旱魃豪雨の巨大化を阻止して、人類史上最大の貢献にする。
【発明の効果】
【０００７】
水力発電機出入力は回転速度の３乗に比例するで検索すると、揚水発電の揚水入力は可変速モーターが実用化され出力は位置エネルギ利用全部等、既存最先端科学技術が簡単に金儲け全部のため質量×速度の２乗に比例するを利用し、同一流路面積同一速度既存火力発電の１万倍質量発電量の垂直揚水発電からの速度増大発電にすると、燃料費０で既存火力発電の１０万〜１００万倍発電量を狙える効果があり、飛行機や船舶駆動は全動翼二重反転全部により速度製造や速度利用や超臨界圧力水蒸気５Ｈ製造にして、超臨界圧力水蒸気５Ｈ中核駆動により１００倍回転出力や噴射推進出力にする大きな効果があり、優位性倍率０等具体的な中身０の成長戦略は失われた２０年沈没の延長と理解する効果が有り、日本の政治家が各種エネルギ保存サイクル合体機関に１００％協力の実験結果成長戦略を前提では、失われた２０年を継続から脱出する効果が大きく、洗脳により速度エネルギ利用の研究を皆無にしたため、発明の利益率を膨大にする効果が大きく、垂直揚水発電では運用利益率を既存火力発電の１万倍以上にする効果があり、既存火力発電蒸気タービンの静翼を全廃すると３０倍〜６０倍蒸気速度が予想され、ガスタービン類やジェットエンジン類を超臨界圧力水蒸気５Ｈ製造の全動翼二重反転中核駆動にすると、回転出力や噴射推進出力を１００倍や飛行機や船舶を１０倍速度等にする大きな効果があり、超大型ヘリコプター等で宇宙利用全盛にして日本の財政赤字１千兆円を短期間で０以下にする効果が有り、運用利益率世界一企業や製造利益率世界一企業を大量創出する効果が大きく、給料を増大する大きな効果が有り、最も効率良く地球温暖化防止して地震津波や台風季節風や旱魃豪雨の巨大化を阻止する効果が大きく、人類史上最大の貢献にする大きな効果がある。
【図面の簡単な説明】
【０００８】
【図１】重力発電建物１２の説明図（実施例１）
【図２】横型蒸気水発電機２２Ｘ一体タービン翼群８Ｇの説明図（実施例２）
【図３】横型蒸気水発電機２２Ｘと発電機の実験用の説明図（実施例３）
【図４】横型蒸気水発電機２２Ｘと発電機の軸受荷重０接近説明図（実施例４）
【図５】横型蒸気比重大物質発電機２２Ｗ一体タービン翼群８Ｇの説明図（実施例５）
【図６】横型蒸気比重大物質発電機２２Ｗ発電機と軸受荷重０接近の説明図（実施例６）
【図７】太陽光加熱器２１の説明図（実施例７）
【図８】水蒸気製造機１１ｔの説明図（実施例８）
【発明を実施するための形態】
【０００９】
勉強僅少や我流や資金０等の長所を活用して略７２年を要した年金生活発明で、人類史上最大の貢献や日本の財政赤字１千兆円超を急速０にする発明で、日本人の協力が昭和３８年岡山地方発明センターの請負製造が最初で最後のため、日本政府や専門家が全力資金協力や協力する発明実施形態を前提として、既存最先端科学技術の火力発電蒸気タービンが静翼で２０回前後堰き止めており、静翼を全廃して全動翼二重反転にすると蒸気速度が６０倍前後に増大すると予想し、既存ボイラーに換えて水蒸気製造機１１ｓの圧縮空気熱交換器２Ｙで、超臨界圧力水蒸気５Ｈを製造して各種中核使用や中核駆動として、断熱圧縮の空気温度２０℃が圧縮比８で１３倍の２６０℃になるを極限まで利用し、同一燃料量の燃焼熱交換の圧縮比８０〜８００の超臨界圧力水蒸気５Ｈ製造として、既存ボイラーの１３０倍〜１３００倍製造量の超臨界圧力水蒸気５Ｈにする実験とし、圧縮容積最少膨張容積最大の超臨界圧力水蒸気５Ｈ中核使用の船舶や飛行機として、同一圧縮空気量の燃料燃焼量を理論空燃比まで既存ガスタービンの４倍燃焼量とし、同一圧縮空気量燃焼ガス質量の増大と超臨界圧力水蒸気５Ｈ超高圧噴射速度として、静翼を全廃全動翼二重反転にした空気圧縮機やタービン駆動で大回転出力等とし、既存ガスタービンやジェットエンジンの１００倍回転出力や噴射推進出力狙いとして、人類史上最大の貢献を電気料金最低や宇宙利用全盛地球上何処でも日帰り旅行とし、月旅行等先ず太陽系の利用や１０倍速度の飛行機や船舶を運用する各種研究として、静翼を全廃して全動翼二重反転にするとガス速度や蒸気速度が１０倍等になるため、部品数１／１００〜１／１０００や超大型工作機械が必要で皆無や１０倍回転速度狙いや、極秘発明や極秘製造や製造物全部運用で運用利益率抜群世界一の地球温暖化防止や、回転出力が梃子の理により回転半径に比例する等を基本とし、用途に合わせた各種発明の実施形態とする。
【実施例１】
【００１０】
図１の重力発電建物１２はクリントン大統領３年３回の協力により、優位性比較説明倍率最大が最重要と判明し優位性比較倍率最大の発電を各種垂直揚水発電とし、図２横型蒸気水発電機２２Ｘや図５横型蒸気比重大物質発電機２２Ｗ等を具備して、既存火力発電蒸気速度と同速度では同一流路面積1万倍質量1万倍発電量狙いとし、既存揚水発電と同一水質量では１０倍水速度１０台直列駆動１万倍発電量以上無限増大として、多数の柱管１２Ｂフランジ１２ｄ部に水タンク１２ｅの上面や底面を具備し、多段水タンク１２ｅとして可変速揚水ポンプ１２ｆ多数により夫々最適の揚水にして、水力発電機出入力は回転速度の３乗に比例するで最良の入力にし、水タンク１２ｅ等駆動水接触部をステンレス等とし酸化防止や研磨剤製造不可として、逆浸透水５２Ｄ製造過程を含めて最大水速度発電の最大回転速度の３乗に比例する発電量とし、最大水速度製造では多数の可変速揚水ポンプ１２ｆと柱管１２Ｂにより落差５００ｍ等製造して、比重大物質加速器６Ｗで既存技術水ポンプ噴射して超臨界圧力水蒸気５Ｈ噴射で加速し、超臨界圧力水蒸気５Ｈで空気を吸引噴射真空を製造してマッハ３〜５０等の水速度駆動として、優位性比較倍率最大水速度マッハ５０や実験水速度マッハ２を既存揚水発電の１０倍水速度とし、既存揚水発電の１０００倍発電量とし落差５００ｍ製造では２００台等の直列駆動として、既存揚水発電の１０００×２００倍発電量とし、柱管１２Ｂフランジ１２ｄに合せて鉄骨骨組１２Ａや水タンク１２ｅを構成して、水タンク１２ｅは柱管１２Ｂ複数フランジ１２ｄ部に底部や天井部を具備水タンク１２ｅとし、鉄骨骨組１２Ａの上下をフランジ１２ｄにボルト締め組立し可変速揚水ポンプ１２ｆ多段具備して、逆浸透水５２Ｄ等を揚水電力僅少として上昇保存して比重大物質加速器６Ｗより噴射し、同一水質量既存揚水発電の２０万倍発電量等既存発電技術を実験で確認が必要な発電量として、世界で発電して地球温暖化防止する政治家戦略で日本の財政赤字１千兆円超を急速０にし、先進国維持には利益率抜群の新規発明無限増大以外の道が無いことを実際に実証する等として、先進国経済成長戦略には中身の実験結果が必要な各種エネルギ保存サイクル合体機関に協力し、言葉の羅列から転換最も効率の良い地球温暖化防止をお願いします。
【実施例２】
【００１１】
図２の横型蒸気水発電機２２Ｘの垂直揚水発電３台直列駆動は既存技術無茶程度の計算で、既存技術が静翼具備する速度利用回避で実用化可能とする等超高速度実験困難の予想ですが、人類史上最大の貢献が可能なエンジン発明は小学校理科洗脳僅少の異端考探しで到達したもので、エンジン発明最先端科学技術で最も基本で最も大出力関連の速度利用皆無が判明し、問題は既存火力発電と略同速度の垂直揚水発電で１万倍発電量等となり実験を必要として、垂直揚水発電では真空中の重力加速度や超臨界圧力水蒸気５Ｈによる初速度製造が可能なため、マッハ５０等の水速度が予想されますが既存火力発電と略同速度マッハ２水速度で発電すると、既存揚水発電の１０倍水速度１０倍回転速度１０００倍発電量の直列複数台駆動の発電となり、落差５００ｍに２００台発電では同一水質量既存揚水発電の２０万倍発電の燃料費０発電となり、水速度の作用効率を最大にするため梃子の理から考えると作用点までの回転半径は大きい程良く、作用点翼数は多数程良く作用点翼面積は大きい程良く一体タービン翼群８Ｇ対向距離は実験が必要で、実験結果による最良の設計製造にするため専門家の協力が必要な実験用からの出発として、多数の柱管１２Ｂを比重大物質上昇装置２Ｆ揚水路１２ａや水タンク１２ｅ兼用とし、柱管１２Ｂ複数で水タンク１２ｅを構成してフランジ１２ｄ部に底面や上面を具備して、夫々の水タンク１２ｅには１以上の可変速揚水ポンプ１２ｆを具備して多段揚水電力節約にし、駆動や実験過程ではマッハ１〜２駆動が既存蒸気タービン最終翼群で実用化のため、発電機等可能な限り既存技術を使用して各種実験を容易として、可能な限り超大型３Ｄプリンター製造して製造するタービン外箱７７ａ等とし、各種逆浸透水５２Ｄ製造して多数の可変速揚水ポンプ１２ｆで多段揚水上昇保存して、比重大物質加速器６Ｗで真空製造＋初速製造部６ａ初速製造＋超臨界圧力水蒸気５Ｈ加速し、横型蒸気水発電機２２Ｘ一体タービン翼群８Ｇに噴射回転駆動して、図３の既存発電機１を既存と同回転速度にして燃料費０で発電する横型垂直揚水発電１Ｍにする、横型蒸気水発電機２２Ｘ複数を直列駆動する、各種エネルギ保存サイクル合体機関発電にする。
【実施例３】
【００１２】
図３の横型蒸気水発電機２２Ｘ対向回転夫々の既存発電機１連結駆動は、既存火力発電等と回転速度を同速度として既存発電機等可能な限り有効利用する実験にし、既存最先端科学技術を小学校理科洗脳僅少で考えると静翼具備で高速度利用が皆無に近く、静翼０の速度利用にすると垂直揚水発電の優位性比較倍率発電量が１万倍以上に大増大して、同一速度同一流路面積既存蒸気タービン最終翼群発電の１万倍水質量１万倍発電量となり、同一水質量では既存揚水発電の１０倍水速度１０台直列駆動の垂直揚水発電で１万倍発電量となり、実験で確認が容易な既存の発電機等が利用可能な回転速度の横型蒸気水発電機２２Ｘ実験とし、超高速度利用の発電実験にすると利益率が既存各種発電の１万倍を超える等給料倍増容易ですが、１企業では不可能や物真似改良が非常に容易で世界全部で極秘建設極秘発電電気販売すると、国家経営が前提ですが日本の財政赤字１千兆円超を最短で０以下の膨大な財政黒字にして、最も効率良く地球温暖化防止する過程で速度利用すると飛行機や船舶も運用利益率が大増大し、人類史上最大の貢献が可能な発電方法や電気駆動や飛行機駆動や船舶駆動等で人類貢献として、超高速度を利用するためには部品数最少が必要で、一体タービン翼群８Ｇの両端に軸を固着して回転部分が３部品の超高速回転実験を可能にし、一体タービン翼群８Ｇの翼数や外径は梃子の理により可能な最大多数や最大径として、対向距離等は超高速度実験により確定し、タービン外箱７７ａ段落毎に可能な限り超大型３Ｄプリンター製造にして、発電機等も可能な限り既存技術利用として３６００回転／分等の超大型外径にし、最初は既存技術による横型蒸気水発電機２２Ｘにすることで製造容易にした各種実験にして、回転部分以外を超大型３Ｄプリンターで製造することで設計製造を容易や試作実験を容易にし、超大型旋盤１０Ｈや一体タービン翼用研削盤１０Ｊ等で加工や製造やバンス調整加工にして、超高速回転で共振や振動を最少にする横型蒸気水発電機２２Ｘ複数を直列駆動する、各種エネルギ保存サイクル合体機関発電にする。
【実施例４】
【００１３】
図４の超高速回転狙う横型蒸気水発電機２２Ｘと発電機１ａの軸受荷重０接近は、図３の実験用横型蒸気水発電機２２Ｘにより、最も大発電量が得られる一体タービン翼群８Ｇの翼数や外径や対向距離とし磁気利用で軸受荷重０接近にし、超高速回転狙い横型蒸気水発電機２２Ｘの潤滑油温度上昇０接近等にしたもので、既存最先端科学技術を小学校理科で考えると高速度利用が皆無に近く超高速度を利用するため、一体タービン翼群８Ｇや発電機回転子１３ａを同軸回転として超高速対向回転を可能にして、軸受１２Ｃ等軸受荷重０接近や推力軸受１３Ｃを不要にする等とし、環状の外周Ｎ極内周Ｓ極の上吸引下左右反発磁石９ｅを水平軸１６Ａに具備して、上Ｎ極下Ｓ極の電磁石の複数棒磁石を、タービン外箱７７ａや発電機外箱７７ｃに固着上吸引下左右反発磁石９ｅにし、軸受１２Ｃ支持部には環状左右Ｎ極の夫々環状反発磁石として具備推力軸受０接近にして、夫々の上吸引下左右反発磁石９ｅの完成とし、反発棒磁石は中核で吸引棒磁石は補助的具備にする等各種実験にして、棒磁石固定位置の設定や電磁石の具備数や環状反発磁石Ｎ極９ｅを外箱左右具備等にし、推力軸受１３Ｃを不要や棒磁石は複数具備や電磁石を含めた外箱具備にして、軸受荷重０接近等で超高速回転対応にし、一体タービン翼群８Ｇや発電機回転子１３ａの超高速回転を磁気利用で共振や振動０接近にして、重力発電建物１２で真空中の重力加速度加速する落差を製造初速製造部６ａで逆浸透水５２Ｄ噴射し、超臨界圧力水蒸気５Ｈ噴射逆浸透水５２Ｄを吸引加速重力加速度加速して、マッハ３０速度等で一体タービン翼群８Ｇに噴射し、一体タービン翼群８Ｇ回転して、発電機回転子１３ａを回転の過程で磁気利用軸受荷重０接近にし、超高速回転実験で発電量が回転数の３乗に比例するか回転周速度の３乗に比例か等の実験にして、同一水質量既存揚水発電の２倍〜２２５００倍発電量の大革命にし、一体タービン翼群８Ｇをステンレス等の１鋳造部品にして、タービン外箱７７ａや発電機外箱７７ｃを段落毎１鋳造部品として製造等とし、マッハ３０等の逆浸透水５２Ｄ等の水速度駆動に対応して、この発明が小学校理科の洗脳僅少や我流全部や資金０等の長所を活用したエンジン発明で、人類史上最大の貢献に挑戦を始めてから略７２年目で、既存専門技術知識が０に近い欠点が有り、３年３回３個の米国特許にクリントン大統領１００％協力と同様に、日本の政治家全部や日本専門家皆様の１００％ご協力で、運用利益率無限増大多数等で財政赤字１千兆円超の高速０挑戦をお願いします。
【実施例５】
【００１４】
図５の横型蒸気比重大物質発電機２２Ｗの垂直揚水発電３台直列駆動の一体タービン翼群８Ｇは、図２の横型蒸気水発電機２２Ｘの水駆動を比重大物質駆動に変換し、水３Ｅに比重大物質２Ｅの混合噴射等各種比重大物質駆動として、他は同じのため合体説明とし梃子の理により外径最大径翼数最大数の一体タービン翼群８Ｇとし、運動エネルギ＝質量×速度の２乗に比例するから、質量を増大して発電量を増大する改良発明無限増大に使用するもので、初速度製造部６ｂ比重大物質加速機６Ｗからみず３Ｅ等で噴射加速する比重大物質２Ｅとして、合金等を含む比重大物質２Ｅを、白金球や金球やタングステン合金粉末焼結球や銀球や銅球や錫球や鉛球や亜鉛球やアルミニウム球や、インジウムやカドミウムやガリウムやタリウムやビスマス等とし、製造法は小径程衝撃エネルギが低減するため、例えば溶融鋼を大気中に噴射高速衝突粉砕空気冷却水冷却で超小径鋼球等製造して、シリコン樹脂被覆やケイ素樹脂被覆や被覆白金合金球や被覆金合金球や、被覆タングステン合金粉末焼結球や被覆銀合金球や被覆ビスマス合金球や被覆銅合金球や、被覆錫合金球や被覆鉛合金球や被覆亜鉛合金球や被覆アルミニウム合金球等とし、比重大物質３Ｅとしては水銀や水等常温で液体の物質で圧力や容積等を製造して、固体の比重大物質を混合噴射する中核物質とし、初速製造部６ｂの比重大物質加速機６Ｗより混合噴射し超臨界圧力水蒸気５Ｈで吸引噴射加速して、マッハ３０等に重力加速部１ｇで加速し、横型蒸気比重大物質発電機２２Ｗに対向に具備した一体タービン翼群８Ｇの中央に噴射して、最良の高真空高速度が可能な直列複数段数とした横型蒸気比重大物質発電機２２Ｗを駆動し、水力発電機出入力は回転数の３乗に比例するか、運動エネルギ＝質量×速度の２乗に比例するかの実験として、優位性比較説明倍率が同一水質量既存揚水発電の２２５００倍発電量の垂直揚水発電の検証とし、垂直揚水発電の燃料費０発電革命による利益率抜群世界一発電の無限増大にして、地球温暖化防止抜群世界一発電の無限増大により火力発電や危険な原子力発電を全廃し、給料倍増や雇用大増大や財政赤字を急速０にする等人類史上最大の貢献として、極秘製造極秘運用極秘改良発明無限増大を最重要とし、日本企業にも秘密漏洩０狙い横型蒸気比重大物質発電機２２Ｗとして、比重大物質を上昇保存使用する各種エネルギ保存サイクル合体機関にする。
【実施例６】
【００１５】
図６の横型蒸気比重大物質発電機２２Ｗと発電機１ａの軸受荷重０接近は、図４の横型蒸気水発電機２２Ｘの水駆動を水に比重大物質混入駆動等多種多様に変換したもので、他は同じのため合体説明とし、運動エネルギ＝質量×速度の２乗に比例するから質量を増大して発電量を増大する研究に使用するもので、既存最先端科学技術を小学校理科で考えると高速度利用が皆無に近く超高速度を利用するため、一体タービン翼群８Ｇや発電機回転子１３ａを同軸回転として超高速回転を可能にし、軸受１２Ｃ荷重０接近や推力軸受１３Ｃを不要にする上吸引下左右反発磁石９ｅを具備して、軸受１２Ｃと共に反発磁石は中核で吸引磁石は補助的具備にする棒磁石固定位置の設定にし、複数具備や電磁石を含めて推力軸受１３Ｃを不要にして、超高速回転対応にし、一体タービン翼群８Ｇや発電機回転子１３ａの超高速回転を磁気利用で共振や振動０接近にして、重力発電建物１２で真空中の重力加速度加速する落差を製造し、初速製造部６ｂより噴射加速の過程で、夫々の比重大物質加速器６Ｗを解放し、逆浸透水５２Ｄや２Ｅや３Ｅ等製造実験が必要な各種比重大物質の混合物を噴射して、超臨界圧力水蒸気５Ｈを噴射して吸引加速重力加速度加速し、一体タービン翼群８Ｇ中間に噴射して対向回転発電の回転出力を増大して、夫々の一体タービン翼群８Ｇ対向回転し、発電機回転子１３ａを対向回転して発電機固定子１３で発電の過程で、上吸引下左右反発磁石９ｅの磁気利用軸受荷重０接近にして、超高速回転実験で発電量が回転数の３乗に比例するか回転周速度の３乗に比例か等の実験にし、実験結果が同一比重大物質質量マッハ３０速度で既存揚水発電の２２５００倍になるか等の実験にして、この発明が小学校理科の洗脳皆無に近い長所を活用したエンジン発明で、人類史上最大の貢献に挑戦したため、既存専門技術知識が０に近い欠点が有り、クリントン大統領１００％協力と同様に、日本専門家皆様の１００％ご協力をお願いします。
【実施例７】
【００１６】
図７太陽光加熱器２１燃料０の超臨界圧力水蒸気５Ｈ製造は、空気温度２０℃が圧縮比８で１３倍の２６０℃になるを極限まで利用するもので、図８横型水蒸気製造機１１ｔにより、太陽光加熱器２１で１０倍温度等に加熱した空気２８ａを圧力比４４等に圧縮の過程で、二重反転圧縮機３ｓの水冷却圧縮翼で熱交換圧縮や直接水噴射冷却圧縮で水加熱と空気冷却し、超臨界圧力水蒸気５Ｈ製造用水加熱や空気容積縮小入力低減して圧縮空気熱交換器２Ｙで熱交換して、超臨界圧力水蒸気５Ｈを製造し、超高圧空気２９ａと共にタービン３ｕに一部分を噴射し横型水蒸気製造機１１ｔ駆動して、大部分で横型蒸気水発電機２２Ｘや横型蒸気比重大物質発電機２２Ｗの真空製造や水速度製造し、超高速二重反転圧縮と太陽光加熱器２１を合体して、熱製造革命の頂点に挑戦し、燃料費０発電電気駆動で大気温度の１３０倍熱量等の超臨界圧力水蒸気５Ｈ製造の実験にして、８０ＭＰａ超臨界圧力水蒸気５Ｈ噴射で逆浸透水５２Ｄ吸引噴射加速マッハ３０初速度製造にし、真空中重力加速度で横型蒸気水発電機２２Ｘや横型蒸気比重大物質発電機２２Ｗを駆動して、同一水質量既存揚水発電の１５０倍水速度を真空中の重力加速度中の複数直列駆動発電にし、３３７５千倍発電量の燃料費０発電になるか実験で確認する太陽光加熱器２１にして、安価熱製造の太陽光加熱器２１を水面に浮力を設けて具備又は平地に円形鉄道を設けて具備して、太陽光を東から西に直角維持回転制御する図に無い水上装置として具備や陸上装置として具備し、太陽光加熱器２１には回転支持部４ｆを設けて歯車装置４ｄやローラー４ｅを具備して、円筒回転部７７Ｇとし、太陽光を上下方向直角維持回転制御して、浮力や円形鉄道利用により東西方向直角維持回転制御する装置とし、太陽光を２方向直角維持回転制御して、加熱保存熱量最大狙う熱吸収管４Ｈ内空気温度を最高にする装置とし、地球最大熱量の太陽光を矩形長レンズ２ｄにより直線状に集めて、焦点距離付近に熱吸収管４Ｈ具備内部空気路２８Ａ空気２８ａ温度を最高にして、外部空気路２８Ａ空気２８ａ温度も上昇し、既存のレンズ断面を直線状に延長矩形の長レンズ２ｄとして、レンズ材質全部を使用可能とし、発泡プラスチック等の断熱材２ｃを円筒回転部７７Ｇ等で囲って円筒等の長大な筒として、長大な長レンズ２ｄを継手８０Ａ＋締付具８０Ｂで密封し、上部を外部空気路２８Ａとし熱吸収管４Ｈ内部を内部空気路２８Ａとして、２空気路２８Ａ選択吸入の太陽光加熱器２１にする、速度エネルギ利用無限多改良発明無限多の各種エネルギ保存サイクル合体機関発電及び合体方法発電にする。
【実施例８】
【００１７】
図８の横型水蒸気製造機１１ｔは、燃料費０の各種垂直揚水発電にするため太陽光加熱器２１で加熱した空気を圧縮し、超臨界圧力水蒸気５Ｈ製造する圧縮空気熱交換器２Ｙで熱交換製造にして、断熱圧縮の空気温度２０℃が圧縮比８で１３倍の２６０℃になるを極限まで利用し、図７の太陽光加熱器２１で１０倍温度の２００℃等に加熱した空気２８ａを圧縮して、二重反転圧縮機３ｓにより圧縮比５０に近付ける空気圧縮にし、水冷却翼圧縮の逆浸透水５２Ｄを８０ＭＰａ等の超臨界圧力水蒸気５Ｈ製造準備して、圧縮空気熱交換器２Ｙで圧縮空気２８ａと熱交換超臨界圧力水蒸気５Ｈ製造にし、真空製造噴射や比重大物質加速機６Ｗ噴射で垂直揚水発電の真空や初速度製造して、超臨界圧力水蒸気５Ｈを燃料０で製造一部噴射で蒸気空気タービン３Ｕ駆動にし、蒸気空気タービン３Ｕを蒸気と超高圧空気２９ａで駆動する水蒸気製造機１１ｔにして、静翼を全廃した全動翼二重反転駆動では既存ガスタービンの１０倍前後回転速度のため、上吸引電磁石下左右反発電磁石９Ｘや反発径方磁石９Ｖ具備し、補助軸受９Ｙ軸受荷重０接近の無接触回転狙いとして、反発環状磁石９Ｚ具備で推力補助軸受９Ｗ軸受荷重０狙いや振動共振僅少狙いとし、蒸気空気タービン３Ｕの発電＋垂直揚水発電で二重反転圧縮機３ｓ電気駆動で無接触として、発電外軸回転子１３Ａと発電内軸回転子１３Ｂを二重反転発電にし、夫々右回転や左回転して発電機固定子１３により右回転発電や左回転発電として、夫々二重反転圧縮機３ｓの外軸用や内軸用の電動機固定子１３Ｄに夫々送電し、電動外軸回転子１３Ｅや電動内軸回転子１３Ｆを右回転駆動と左回転駆動にして、起動電力や不足電力を垂直揚水発電より供給して駆動電力にする水蒸気製造機１１ｔにし、圧縮翼や出力翼を３０〜６０枚の段落毎１鋳造部品の二重反転超高速回転対応にして、内側軸装置６０Ａ外側軸装置６０Ｂ夫々の嵌合組立部９Ｍ等夫々を二重反転機関立型旋盤１０Ｂで加工し、夫々の圧縮翼や出力翼を圧縮翼立型研削盤１０Ｋや出力翼立型研削盤１０Ｌ加工として、内側軸装置６０Ａ外側軸装置６０Ｂ夫々別々に嵌合組立部９Ｍ仮組立とし、夫々の両端補助軸受９Ｙ部を二重反転機関立型旋盤１０Ｂで保持超高速回転バランス調整加工して、バランス加工良好な周速度や回転数として分解本組立てに移行し、二重反転圧縮機３ｓや蒸気空気タービン３Ｕにして、極秘製造極秘運用極秘改良発明を最重要とする水蒸気製造機１１ｔにする、速度エネルギ利用無限多改良発明無限多の各種エネルギ保存サイクル合体機関発電及び合体方法発電にする。
【産業上の利用可能性】
【００１８】
既存最先端科学技術が簡単に金儲け全部や、静翼で堰き止め減速して使用する機関類全部や、超高速回転バランス調整加工が必要な機関類皆無や、物理基礎の運動エネルギ＝質量×速度の２乗に比例するに挑戦皆無や、水力発電機出力は回転速度の３乗に比例するに挑戦皆無や、静翼を具備して堰き止減速して速度利用するや、既存揚水発電では最低水速度で発電する等のため、速度利用に挑戦すると、横型蒸気水発電機２１Ｘ等各種垂直揚水発電発電量の優位性比較説明倍率が、同一水質量マッハ２水速度で既存揚水発電の１０倍水速度の３乗＝１０００倍発電量の優位性比較倍率になり、実験が必要ですが落差５００ｍ製造では更に２００台等の直列駆動となり、１０００倍発電量×２００倍＝２０万倍発電量の各種垂直揚水発電になり、更にマッハ３０等の水速度駆動になる可能性が有るため、既存の火力発電や原子力発電が自然淘汰する可能性があり、太陽光発電や風力発電も順次０になる可能性がある。
【符号の説明】
【００１９】
０：優位性比較説明倍率（実験の必要倍率）  ０：各種エネルギ保存サイクル合体機関（各種熱エネルギは空気温度として熱ポンプで圧縮熱回収熱製造使用して、重力エネルギは上昇保存噴射真空中重力加速度加速して発電し電気駆動や電気製造物駆動等各種関連機関）  １：発電機、  １ｃ：液体燃料、  1ｅ：工場発電、  １ｆ：横軸軸受０接近（横軸軸受＋推力軸受＋電磁石等で軸受荷重０接近）  １ｈ：横軸（外側軸装置と内側軸装置の回転方向交互にする軸）  １ｇ：重力加速部、  １Ａ：蓄電池、  １Ｄ：燃料噴射ポンプ、  １Ｅ：交換容易蓄電池、  １Ｇ：充電容易蓄電池、  １Ｈ：自家発電、  １Ｋ：液体燃料制御弁、  １Ｌ：高圧燃料加熱管、  ２Ａ：耐熱材、    ２Ｃ：１〜複数段圧縮熱回収器（熱エネルギを空気温度とし熱ポンプで複数回圧縮熱交換器で複数回熱回収して残りを温熱５０＋液体冷熱２８ａに分割保存）    ２Ｅ：比重大物質（合金含む、白金球・金球・タングステン合金粉末焼結球・銀球・銅球・錫球・鉛球・亜鉛球・アルミニウム球・インジウム・カドミウム・ガリウム・タリウム・ビスマス等比重の大きい物質）  ２Ｅ：比重大物質（製造法は小径程衝撃エネルギが低減するため例えば溶融鋼を大気中に噴射高速衝突粉砕空気冷却水冷却で超小径鋼球等製造）  ２Ｅ：比重大物質（シリコン樹脂被覆やケイ素樹脂被覆の被覆白金合金球・被覆金合金球・被覆タングステン合金粉末焼結球・被覆銀合金球・被覆ビスマス合金球・被覆銅合金球・被覆錫合金球・被覆鉛合金球・被覆亜鉛合金球・被覆アルミニウム合金球）  ２Ｆ：比重大物質上昇装置、  ２Ｗ：低温空気熱交換器、  ２Ｙ：圧縮空気熱交換器（高圧空気２８ａ冷熱＋過熱蒸気５０温熱製造）    ２ｂ：水抵抗僅少（船底に空気や燃焼ガスや過熱蒸気等を高速噴射して水抵抗僅少にする）  ２ｃ：断熱材、  ２ｄ：長レンズ（凸レンズ断面を直線状に延長矩形とし、複数使用で焦点距離最短レンズ幅最大狙う）    ３ｄ：合体タービン、  ３ｅ：２段圧縮機、  ３ｓ：二重反転圧縮機、  ３ｔ：空気タービン、  ３ｕ：タービン、  ３Ｄ：電気熱供給設備、  ３Ｅ：比重大物質（水銀や水等常温で液体の比重大物質）    ３Ｅ：比重大物質（金属を球形として弾性物質の被覆を具備した物質）  ３Ｇ：比重大物質（比重大物質２Ｅ３Ｅの各種混合物）  ３Ｑ：理論膨張機関（ボイルの法則で最良狙う）  ３Ｒ：理論ガスタービン、  ３Ｓ：理論蒸気タービン、  ３Ｔ：理論気体圧縮機、  ３Ｕ：蒸気空気タービン、  ４Ｃ：対向同期歯車、  ４Ｄ：直列同回転歯車、  ４Ｈ：熱吸収管（長レンズ２ｄで太陽光を熱吸収管に直線状に集めて管内空気温度を最高に加熱して菅外空気温度も上昇する）  ４Ｊ：蓄電池駆動車輪、  ４Ｌ：理論膨張機関自動車、  ４Ｍ：理論タービン自動車、  ４Ｑ：理論燃焼室（過熱蒸気製造で理論空燃比燃焼既存の４倍燃焼量等や２０倍圧力過熱蒸気噴射狙う燃焼室）、  ４Ｔ：軸流二重反転圧縮機、  ４Ｖ：軸流二重反転タービン、  ４ｄ：歯車装置、  ４ｅ：ローラー、  ４ｆ：回転支持部、  ５：空気噴射ノズル、  ５ｂ：圧縮空気路、  ５Ｇ：水蒸気加熱管、  ５Ｇ：水管、  ５Ｈ：超臨界圧力水蒸気、  ５Ｈ：超臨界圧力水蒸気管、  ５Ｊ：圧縮空気過熱管、  ５Ｋ：液体酸素、  ５Ｌ：液体窒素室、  ５Ｌ：液体窒素、  ５Ｍ：高圧高温燃焼室、  ５Ｑ：高圧高温水制御弁、  ５Ｓ：圧縮空気加熱管、  ５Ｖ：圧縮空気制御弁、  ５Ｚ：水ポンプ、  ６：最終圧縮翼、  ６ａ：初速製造部（水を５Ｈ加速する）  ６ｂ：初速製造部（水等各種２Ｅや３Ｅを５Ｈ加速する）  ６Ａ：過熱蒸気ロケット噴口（用途により逆噴射可能にした噴口）  ６Ｂ：圧縮空気噴射ノズル、  ６Ｆ：水噴射ノズル、  ６Ｇ：外箱噴口、  ６Ｈ：排水管、  ６Ｗ：比重大物質加速機、  ６Ｘ：燃料噴射ノズル、  ６Ｙ：燃焼ガス噴射ノズル、  ６Ｚ：水蒸気噴射ノズル、  ７Ａ：プロペラ、  ７Ｂ：回転翼、  ７Ｃ：スクリュー、  ８ａ：タービン翼、  ８ｄ：上側膨張翼群、  ８ｅ：下側膨張翼群、  ８ｆ：組立タービン翼群、  ８ｇ：上側圧縮翼群、  ８ｈ：下側圧縮翼群、  ８ｊ：組立圧縮翼群、  ８ｋ：内側圧縮翼（両側中心支持内側軸装置具備）  ８ｍ：外側圧縮翼（両側中心支持外側軸装置具備）、  ８ｎ：内側出力翼（両側中心支持内側軸装置具備）、  ８ｐ：外側出力翼（両側中心支持外側軸装置具備）  ８ｑ：内側圧縮翼（回転速度や周速度に合せた角度や曲線や回転半径二重反転とした圧縮翼）  ８ｒ：外側圧縮翼（回転速度や周速度に合せた角度や曲線や回転半径二重反転とした圧縮翼）、  ８ｓ：内側出力翼（回転速度や周速度に合せた角度や曲線や回転半径二重反転とした出力翼）、  ８ｔ：外側出力翼（回転速度や周速度に合せた角度や曲線や回転半径二重反転とした出力翼）  ８Ｆ：タービン翼群（運動エネルギ＝質量×速度の２乗に比例する。を利用超高速駆動物質速度記録に挑戦最大発電量にする）  ８Ｇ：一体タービン翼群（可変速発電電動機では一定周波交流で可変速となり、入出力が回転数の３乗に比例して変化する。を利用超高速周速度記録に挑戦最大発電量にする）    ９Ｂ：反発電磁石永久磁石、  ９Ｃ：吸引電磁石永久磁石、  ９Ｄ：空気圧部、  ９Ｅ：空気圧部、  ９Ｍ：嵌合組立部、  ９Ｑ：垂直平行板、  ９Ｖ：反発径方磁石、  ９Ｗ：推力補助軸受、  ９Ｘ：上吸引電磁石下左右反発電磁石、  ９Ｙ：補助軸受、  ９Ｚ：反発環状磁石、  ９ｂ：上吸引下左右反発磁石（反発磁石中核補助吸引磁石）  ９ｃ：吸引磁石、  ９ｄ：反発磁石、  ９ｅ：上吸引下左右反発磁石、  １０Ｂ：二重反転機関立型旋盤、  １０Ｃ：二重反転機関旋盤、  １０Ｄ：圧縮翼研削盤、  １０Ｅ：出力翼研削盤、  １０Ｆ：タービン翼研削盤、  １０Ｇ：タービン翼立型研削盤、  １０Ｈ：超大型旋盤、  １０Ｊ：一体タービン翼研削盤、  １０Ｋ：圧縮翼立型研削盤、  １０Ｌ：出力翼立型研削盤、  １１：全動翼蒸気タービン、  １１ａ：リニア噴射車両、  １１ｂ：噴射車両、  １１ｃ：電気自動車、  １１ｄ：二重反転船舶、  １１ｅ：空気噴射船舶、  １１ｆ：横型機関飛行機、  １１ｇ：横型噴射飛行機、  １１ｈ：竪型ヘリコプター、  １１ｉ：竪型噴射ヘリコプター、  １１ｊ：横型オスプレイ、  １１ｋ：横型噴射オスプレイ、  １１ｍ：竪型反転船舶、  １１ｎ：竪型噴射船舶、  １１ｐ：竪型オスプレイ、  １１ｑ：竪型噴射オスプレイ、  １１ｒ：電気車両、  １１ｓ：竪型水蒸気製造機、  １１ｔ：横型水蒸気製造機、  １１ｕ：超大型ヘリコプター、  １１Ｂ：二重反転自動車、  １１Ｃ：二重反転船舶、  １１Ｄ：復水器、  １１Ｅ：二重反転飛行機、  １１Ｆ：二重反転噴射船舶���  １１Ｇ：二重反転噴射飛行機、  １１Ｉ：回転翼飛行機、  １１Ｊ：回転翼噴射飛行機、  １１Ｍ：オスプレイ特大、  １１Ｎ：オスプレイ大型、  １１Ｗ：横型全動翼蒸気比重大物質重力タービン、  １１Ｘ：横型全動翼蒸気水重力タービン、  １１Ｙ：竪型全動翼蒸気比重大物質重力タービン、  １１Ｚ：竪型全動翼蒸気水重力タービン、  １２：重力発電建物、  １２ａ：揚水路、  １２ｄ：フランジ、  １２ｅ：水タンク、  １２ｆ：可変速揚水ポンプ、  １２Ａ：鉄骨骨組、  １２Ｂ：柱管、  １２Ｃ：軸受（反発磁石中核として各種磁力利用で軸受荷重０接近にする）  １２Ｄ：角フランジ、  １２Ｅ：二重反転噴射機関、  １２Ｆ：二重反転空気噴射機関、  １２Ｇ：二重反転機関、  １２Ｎ：２段圧縮機、  １２Ｔ：竪型２段圧縮機、  １２Ｕ：横型２段圧縮機、  １２Ｖ：竪型２段圧縮機、  １２Ｗ：横型２段圧縮機、１２Ｙ：対向２段圧縮機、  １２Ｚ：対向２段圧縮機、  １３：発電機固定子、  １３ａ：発電機回転子、  １３Ａ：発電外軸回転子、  １３Ｂ：発電内軸回転子、  １３Ｃ：推力軸受（反発磁石中核として各種磁力利用で軸受荷重０接近にする）  １３Ｄ：電動機固定子、  １３Ｅ：電動外軸回転子、  １３Ｆ：電動内軸回転子、  １４Ｅ：竪型噴射機関、  １４Ｆ：竪型空気噴射機関、  １４Ｇ：竪型機関、  １４Ｈ：竪型酸素製造機、  １４Ｊ：横型噴射機関、  １４Ｋ：横型空気噴射機関、  １４Ｌ：横型機関、  １４Ｍ：横型酸素製造機、  １６：水平軸板（精密組立を容易にする円盤）  １６Ａ：水平軸、  ２１：太陽光加熱器（吸入空気路を熱吸収管４Ｈ内にも設けて主使用する）    ２１Ｗ：横型蒸気比重大物質発電機、  ２１Ｘ：横型蒸気水発電機、  ２１Ｙ：竪型蒸気比重大物質発電機、  ２１Ｚ：竪型蒸気水発電機、  ２２Ｗ：横型蒸気比重大物質発電機、  ２２Ｘ：横型蒸気水発電機、  ２２Ｙ：竪型蒸気比重大物質発電機、  ２２Ｚ：竪型蒸気水発電機、  ２４Ａ：圧縮空気制御弁、  ２５：過熱蒸気制御弁、  ２５ｂ：高圧燃料制御弁、  ２５ｃ：燃料管、  ２８Ａ：吸入空気路、  ２８ａ：空気、  ２８ｂ：吸入空気路、  ２９ａ：超高圧空気、  ３８Ｈ：理論スクリュー船舶、  ３８Ｊ：理論噴射船舶、  ３８Ｔ：理論噴射飛行機、  ３８Ｕ：理論プロペラ飛行機、  ４９：燃焼ガス、  ５０：過熱蒸気、  ５０：過熱蒸気室、  ５０Ａ：高圧高温水、  ５０ａ：過熱蒸気噴射管、  ５２Ａ：水、  ５２Ｂ：水管、  ５２Ｃ：アルコール、  ５２Ｃ：アルコール管、  ５２Ｄ：逆浸透水（固形物除去タービン翼群８Ｆの摩耗量を僅少にする水）、  ５２Ｄ：逆浸透水管、  ５２Ｅ：蒸留水、  ５２Ｅ：蒸留水管、  ５２ａ：水、  ５２ｂ：高温水、  ５３Ａ：外側出力翼群（駆動流体速度の１／１０前後外周速度狙う出力翼）  ５３Ｂ：内側出力翼群（駆動流体速度に近い外周速度狙う出力翼）  ５３Ｃ：外側圧縮翼群（５Ｈ製造用の逆浸透水５２Ｄ冷却翼）  ５３Ｄ：内側圧縮翼群、  ６０Ａ：内側軸装置、  ６０Ｂ：外側軸装置、  ６０Ｃ：円筒内側動翼群、  ６０Ｄ：円筒外側動翼群、  ６０Ｇ：外側環状翼群、  ６０Ｈ：内側環状翼群、  ６０ｃ：内側動翼群、  ６０ｄ：外側動翼群、  ６０ｅ：外入口翼群、  ６０ｆ：内入口翼群、  ６０ｇ：外中間翼群、  ６０ｈ：内中間翼群、  ６０ｊ：内出口翼群、  ６０ｋ：外��口翼群、  ７７Ａ：ガスタービン外箱、  ７７Ｂ：ロケット外箱、  ７７Ｃ：二重反転機外箱、  ７７Ｇ：円筒回転部、  ７７ａ：タービン外箱、  ７７ｂ：圧縮機外箱、  ７７ｃ：発電機外箱、  ８０：軸受（磁力＋空気圧利用で可能な限り軸受荷重を０に近付ける）  ８０Ａ：継手、  ８０Ｂ：締付具、  ８０ａ：推力軸受（磁力＋空気圧利用で可能な限り軸受荷重を０に近付ける）    ８５：二重反転磁気装置（磁石利用歯車高さ僅少から無接触にし横軸１ｈ歯車により相互逆回転にする）  ８５Ｙ：二重反転歯車装置（横軸１ｈ歯車により相互逆回転にする）  ８８Ｂ：蒸気合体空気噴射部、  ８８Ｃ：理論空気噴射部、  ８８Ｌ：蒸気合体水噴射部、  ８８Ｍ：理論水噴射部、  ８９Ａ：液体酸素製造機
【図１】
2017078365.tif 000003
【図２】
2017078365.tif 000004
【図３】
2017078365.tif 000005
【図４】
2017078365.tif 000006
【図５】
2017078365.tif 000007
【図６】
2017078365.tif 000008
【図７】
2017078365.tif 000009
【図８】
2017078365.tif 000010